(57)【要約】【課題】歩留りを改善し、高品位のピアノブラック調の電子機器の操作ボタンを低コストで提供することを目的とする。【解決手段】操作ボタン４０は、黒色の樹脂による一次側成形体４１と、透明樹脂による二次側成形体４２とが２色成形され、一次側成形体４１は電子機器の機器本体に挿入される胴部４１ａと、二次側成形体４２と融着する頂部４１ｂを備え、一次側成形体４１の胴部４１ａに取り囲まれる二次側成形体４２の裏面に、所望の文字がレーザーカットされた黒色層４４と、レーザーカットされた文字の部分および黒色層４４を覆う文字色層４５が形成される。【選択図】図４
2014043035.tif 000002
【特許請求の範囲】
【請求項１】
黒色の樹脂による一次側成形体と、透明樹脂による二次側成形体とが２色成形され、
前記一次側成形体は電子機器の機器本体に挿入される胴部と、前記二次側成形体と融着する頂部を備え、
前記一次側成形体の胴部に取り囲まれる前記二次側成形体の裏面に、所望の文字がレーザーカットされた黒色層と、前記レーザーカットされた文字の部分および前記黒色層を覆う文字色層が形成されたことを特徴とする電子機器の操作ボタン。
【請求項２】
黒色の樹脂による一次側成形体を成形する第１の工程と、
前記一次側成形体に透明樹脂による二次側成形体を２色成形する第２の工程とを含み、
前記一次側成形体は電子機器の機器本体に挿入される胴部と、前記二次側成形体と融着する頂部を備え、
前記一次側成形体の胴部に取り囲まれる前記二次側成形体の裏面に黒色層を形成する第３の工程と、
前記黒色層に所望の文字の部分をレーザーカットする第４の工程と、
前記第４の工程でレーザーカットされた文字の部分および前記黒色層を覆う文字色層を形成する第５の工程と、
を含む電子機器の操作ボタンの製造方法。
【発明の詳細な説明】
【技術分野】
【０００１】
本発明はオーディオ機器などの電子機器の操作ボタンおよびその製造方法に関するものである。
【背景技術】
【０００２】
従来より、オーディオ機器や、ナビゲーション装置、ゲーム機、情報機器、家電製品などの電子機器において、ピアノの色に代表される真の黒色（以下、「ピアノブラック」という）の外観が好まれ、多く使われている。それら電子機器の操作ボタンも、色調を合わせてピアノブラック調に塗装されており、その工法として高輝度黒塗装が知られている（例えば、特許文献１参照）。
【０００３】
また、ピアノブラック調を実現するために塗装以外の工法としては、高透明フィルムにカーボンブラックの黒色層を印刷した加飾用フィルムを成形品上に一体化固定するインモールド成形法が知られている（例えば、特許文献２参照）。
【先行技術文献】
【特許文献】
【０００４】
【特許文献１】特開昭６３−２４０９７１号公報
【特許文献２】特開２００２−２９２７９８号公報
【発明の概要】
【発明が解決しようとする課題】
【０００５】
しかしながら、従来の高輝度黒塗装においては、塗装のブツ、溜りといった不具合が避けられず、歩留り低下によりコストが上がってしまうという問題があった。また、加飾用フィルムによるインモールド成形法は、工程が複雑であり、またフィルムのコストが高いためにコストが上がってしまうという課題があった。
【０００６】
本発明は、従来の問題を解決するためになされたもので、歩留りを改善し、高品位のピアノブラック調の操作ボタンを低コストで提供することを目的とする。
【課題を解決するための手段】
【０００７】
上記目的を達成するために本発明の第一の局面は電子機器の操作ボタンに向けられている。本発明の操作ボタンは、黒色の樹脂による一次側成形体と、透明樹脂による二次側成形体とが２色成形され、一次側成形体は電子機器の機器本体に挿入される胴部と、二次側成形体と融着する頂部を備え、一次側成形体の胴部に取り囲まれる二次側成形体の裏面に、所望の文字がレーザーカットされた黒色層と、レーザーカットされた文字の部分および黒色層を覆う文字色層が形成されている。
【０００８】
また、本発明の第二の局面は電子機器の操作ボタンの製造方法に向けられている。本発明の操作ボタンの製造方法は、黒色の樹脂による一次側成形体を成形する第１の工程と、一次側成形体に透明樹脂による二次側成形体を２色成形する第２の工程とを含み、一次側成形体は電子機器の機器本体に挿入される胴部と、二次側成形体と融着する頂部を備え、一次側成形体の胴部に取り囲まれる二次側成形体の裏面に黒色層を形成する第３の工程と、黒色層に所望の文字の部分をレーザーカットする第４の工程と、第４の工程でレーザーカットされた文字の部分および黒色層を覆う文字色層を形成する第５の工程と、を含む。
【発明の効果】
【０００９】
本発明によれば、黒色樹脂の表面に透明樹脂を成形することによって、表面から見た際に深みのある高品位のピアノブラック調の外観を与えられる。また、塗装などの２次加工が必要ないため、ブツ、溜りといった不具合は発生せず歩留りの向上が期待できる。
【００１０】
また、ボタンに表示された文字を照明させる必要がある場合には裏面から黒色塗装およびレーザーカットを施すことにより実現できる。この場合においても、表面から塗装した場合と比較して塗装面積が小さくなり、またブツ、溜りなどの不具合も目立ちにくく、歩留りの向上が期待できる。
【図面の簡単な説明】
【００１１】
【図１】本発明の実施の形態にかかる操作ボタンの斜視図
【図２】本発明の実施の形態にかかる操作ボタンが利用される車載用オーディオ装置の斜視図
【図３】本発明の実施の形態にかかる操作ボタンの上面図とＡ−Ａ面での断面図
【図４】本発明の実施の形態にかかる操作ボタンの上面図とＢ−Ｂ面での断面図
【図５】本発明の実施の形態にかかる操作ボタンの製造工程図
【発明を実施するための形態】
【００１２】
以下、本発明の実施の形態における操作ボタンおよびその製造方法について図面を参照しながら説明する。なお、以下で説明する本発明の実施の形態は、本発明の好ましい一具体例を示すものである。本実施の形態で示される数値、形状、構成要素、構成要素の配置などは一例であり、本発明を限定する主旨ではない。本発明は、特許請求の範囲だけによって限定される。よって、以下の実施の形態における構成要素のうち、独立請求項に記載されていない構成要素は、本発明の課題を達成するのに必ずしも必要ではないが、より好ましい形態を構成するものとして説明される。
【００１３】
図１は本発明の実施の形態における操作ボタンの斜視図である。また、図２は電子機器の一例として、操作ボタンが利用される車載用オーディオ装置の斜視図を示している。
【００１４】
図２において、車載オーディオ装置２０の前面には、電源ＯＮ／ＯＦＦボタン２１、ミュートボタン２２、ラジオ局のプリセットボタン２３、ＦＭ／ＡＭラジオのバンド選択ボタン２４、ディスク取り出しボタン２５などの操作のためのボタンが配置されている。車載オーディオ装置２０はこれら操作ボタン以外にも、音量調整つまみ２６や、ＣＤ（Ｃｏｍｐａｃｔ  Ｄｉｓｋ）挿入口２７、ユーザに各種情報を提示する表示部２８なども備えている。
【００１５】
図１に示した操作ボタン１０は、電源ＯＮ／ＯＦＦボタン２１、ミュートボタン２２、ラジオ局のプリセットボタン２３、ＦＭ／ＡＭラジオのバンド選択ボタン２４、ディスク取り出しボタン２５などに利用される。
【００１６】
図３は図１のボタンの断面図である。一次側成形体１１はＡＢＳ（アクリロニトリル・ブタジエン・スチレン）樹脂等にカーボンブラック等を分散させた黒色の一次側樹脂であり、表面となる二次側成形体１２はＰＭＭＡ（ポリ メタクリル酸メチル樹脂）等からなる透明の二次側樹脂で形成されている。一次側成形体１１は、電子機器に挿入される胴部１１ａと、操作ボタン１０のユーザが指で操作する二次側成形体１２に融着する頂部１１ｂで構成される。
【００１７】
本実施形態における操作ボタン１０は、２色成形法により形成される。先ず、一次側金型に、カーボンブラックを分散させたＡＢＳ樹脂等の一次側樹脂を一次側射出ノズルから注入して一次側成形体１１を形成する。次に、成形された一次側成形体１１に、二次側金型を装着して、透明なＰＭＭＡ樹脂等の二次側樹脂を二次側射出ノズルから充填することで熱融着させる。
【００１８】
透明の二次側成形体１２の厚さは、厚いほど黒の深みが増すが、ヒケなどの成形上の不具合が生じる可能性があるため、０．６ｍｍ(２色成形下限)〜１．２ｍｍ程度が好ましい。
【００１９】
透明の二次側成形体１２は上記厚みを持つため、表面から見た際に操作ボタン１０は深みのある高品位のピアノブラック調の外観を有する。また、塗装などの２次加工は不要であり、歩留りを改善できると共に、表面を塗装しないことにより、経年劣化による塗装の剥がれなども防止できる。
【００２０】
次に、操作ボタンに表示させた文字部を照明させるための、文字部の形成方法について説明する。
【００２１】
図４は本発明の実施の形態における操作ボタンの断面図である。図４において、操作ボタン４０は図３と同様に、ＡＢＳ等からなる黒色の一次側成形体４１と、ＰＭＭＡ等からなる透明の二次側成形体４２を備える。一次側成形体４１は、電子機器に挿入される胴部４１ａと、ユーザが指で操作する二次側成形体４２に融着する頂部４１ｂで構成される。図３と異なるのは、操作ボタン４０の表面に表示される文字部４３を形成するための黒色層４４と、文字の色となる文字色層４５を備えている点である。また、その黒色層４４と文字色層４５を形成するために、一次側成形体４１の頂部４１ｂにおいて、胴部４１ａに取り囲まれる部分が形成されていない点が図３の構成とは異なっている。
【００２２】
以下、図４の操作ボタン４０の製造方法について、図５の製造工程図を用いて詳細に説明する。
【００２３】
図５（ａ）の工程１において、ＡＢＳ等からなる黒色の一次側樹脂により一次側成形体４１を形成する。ここで、ボタンに表示された文字部４３を照明させる必要がある場合、文字部４３の背面には一次側成形体を形成しない一次側金型構造とする。
【００２４】
次に、図５（ｂ）の工程２において、ＰＭＭＡ等からなる透明の二次側成形体４２を２色成形法により形成する。この場合、図３の場合とは異なり、ユーザが指で押しても割れない強度が二次側成形体４２に要求される。そのため、二次側成形体４２の厚さは１．０ｍｍ〜１．２ｍｍ程度が好ましい。
【００２５】
そして、図５（ｃ）の工程３において、胴部４１ａに取り囲まれる二次側成形体４２の裏面から黒色塗装を施すことで、黒色層４４を形成する。この黒色層４４はアクリルウレタン塗料をロボットスピンドル塗装することにより、塗装厚さ１５〜２５μｍで形成される。
【００２６】
その後、黒色層４４に裏面から照明した場合に、表面から所望の文字の光が透過するように、図５（ｄ）の工程４において黒色層４４に裏面からレーザーを照射して、所望の文字の部分をカットする。
【００２７】
次に、図５（ｅ）の工程５において、レーザーカットされた黒色層４４を保護すると共に、裏面から照明したときに表面から見た文字色となる文字色層４５を塗装する。この文字色層４５はアクリルウレタン塗料をロボットスピンドル塗装することにより形成される。塗装厚は文字の色等の光の透過率などを考慮して選択できるが、一般的な白の場合１５〜２０μｍが好ましい。
【００２８】
これにより、従来と同様に文字の照明を実現するとともに、高品位のピアノブラック調を実現することができる。
【００２９】
また、裏面から塗装を施すため、表面から塗装した場合と比較して塗装面積が少なくなるとともに、塗装によるブツ、溜りも目立たなくなるため歩留りの改善が期待できる。
【００３０】
一方、裏面からの塗装により、塗装部位がユーザに触れられることがないため、従来、一般的に用いられている主剤と硬化剤からなる２液性塗料を使う必要がなく、１液性塗料の使用が可能となり、更なるコストダウンが期待できる。
【産業上の利用可能性】
【００３１】
本発明による操作ボタンおよびその製造方法によれば、オーディオ機器等の電子機器におけるピアノブラック調ボタンの品位向上およびコスト低減に寄与できるという効果を有し、各種電子機器のピアノブラック調の操作ボタンおよびその製造方法として有用である。
【符号の説明】
【００３２】
１０、４０    操作ボタン
１１、４１    一次側成形体
１２、４２    二次側成形体
１１ａ、４１ａ    胴部
１１ｂ、４１ｂ    頂部
４３    文字部
４４    黒色層
４５    文字色層
【図１】
2014043035.tif 000003
【図２】
2014043035.tif 000004
【図３】
2014043035.tif 000005
【図４】
2014043035.tif 000006
【図５】
2014043035.tif 000007